(57)【要約】【課題】共通の部品を増やすことができるヘッドアップディスプレイ装置を提供する。【解決手段】ヘッドアップディスプレイ装置は、表示光を出射する表示部と、表示部を制御する制御基板７０と、制御基板７０の周囲を囲む金属製のシールドカバー８０と、を備える。シールドカバー８０は、それぞれ別体で同一の開口した箱状をなす第１の部材８１及び第２の部材８２を備える。第１の部材８１及び第２の部材８２は、それぞれの開口縁部が相対する向きに組み合わされる。【選択図】図７
2020046570.tif 000002
【特許請求の範囲】
【請求項１】
表示光を出射する表示部と、
前記表示部を制御する制御基板と、
前記制御基板の周囲を囲む金属製のシールドカバーと、を備え、
前記シールドカバーは、それぞれ別体で同一の開口した箱状をなす第１の部材及び第２の部材を備え、
前記第１の部材及び前記第２の部材は、それぞれの開口縁部が相対する向きに組み合わされる、
ヘッドアップディスプレイ装置。
【請求項２】
前記制御基板と前記表示部の間を電気的に接続する第１接続線を備え、
前記第１の部材及び前記第２の部材は、前記表示光の進行方向に対して垂直をなす第１方向の中央に位置し、前記第１接続線が通過可能な接続線通過孔部を備える、
請求項１に記載のヘッドアップディスプレイ装置。
【請求項３】
前記第１の部材及び前記第２の部材は、
底板部と、
前記底板部の縁部に位置する側壁と、
前記底板部の外面に前記第１接続線を収容可能に形成され、前記接続線通過孔部から前記表示部に向けて延びる第１案内溝部と、を備える、
請求項２に記載のヘッドアップディスプレイ装置。
【請求項４】
前記ヘッドアップディスプレイ装置は、
前記表示部からの前記表示光を被投射部材に向けて反射させるミラーユニットと、
前記制御基板による制御のもと、前記ミラーユニットを回転軸を中心に回転させる反射鏡駆動源と、
前記制御基板と前記反射鏡駆動源の間を電気的に接続し、前記接続線通過孔部を通過する第２接続線と、を備え、
前記第１の部材及び前記第２の部材は、
前記底板部の外面に前記第２接続線を収容可能に形成され、前記接続線通過孔部から前記反射鏡駆動源に向けて延びる第２案内溝部を備える、
請求項３に記載のヘッドアップディスプレイ装置。
【請求項５】
前記第１案内溝部は、前記表示光の進行方向に沿う第２方向に延び、
前記第２案内溝部は、前記第２方向において前記接続線通過孔部から離れるにつれて前記第１方向において前記接続線通過孔部から離れるように前記第１案内溝部に対して傾斜し、前記第１案内溝部の前記第１方向の両側それぞれに形成される、
請求項４に記載のヘッドアップディスプレイ装置。
【請求項６】
前記制御基板は、外部から電力又は信号を入力するコネクタを備え、
前記第１の部材及び前記第２の部材は、前記表示光の進行方向に対して垂直をなす第１方向の中央に位置し、前記コネクタが通過可能に形成されるコネクタ通過孔部を備える、
請求項１から５の何れか１項に記載のヘッドアップディスプレイ装置。
【請求項７】
前記表示部は、
表示パネルと、
前記表示パネルの外周を囲む金属製のベゼル体と、を備え、
前記ベゼル体は、前記シールドカバーに接触する接触部を備える、
請求項１から６の何れか１項に記載のヘッドアップディスプレイ装置。
【発明の詳細な説明】
【技術分野】
【０００１】
本発明は、ヘッドアップディスプレイ装置に関する。
【背景技術】
【０００２】
従来から、表示光をフロントガラス等に照射することにより虚像を表示するヘッドアップディスプレイ装置が知られている。例えば、特許文献１に記載のヘッドアップディスプレイ装置は、液晶表示パネルと、液晶表示パネルを照明するバックライト光源と、液晶表示パネル及びバックライト光源を駆動する回路基板と、液晶表示パネル、バックライト光源及び回路基板を収容する金属製のハウジングと、ハウジングのうち回路基板を収容する凹部を閉じる金属製の蓋体と、バックライト光源からの光を液晶表示パネルに案内する略筒形状の金属製のライトボックスと、を備える。回路基板はハウジング、蓋体及びライトボックスにより覆われるため、回路基板が発生する電磁ノイズは外部に漏れづらくなる。
【先行技術文献】
【特許文献】
【０００３】
【特許文献１】特開２００９−２８８４８４号公報
【発明の概要】
【発明が解決しようとする課題】
【０００４】
上記特許文献１に記載の構成では、回路基板を金属製の部品である蓋体、ハウジング及びライトボックスにより覆う必要がある。よって、回路基板を覆うために、異なる複数種類の金属製の部品が必要となっていた。
【０００５】
本発明は、上記実状を鑑みてなされたものであり、共通の部品を増やすことができるヘッドアップディスプレイ装置を提供することを目的とする。
【課題を解決するための手段】
【０００６】
上記目的を達成するため、本発明の観点に係るヘッドアップディスプレイ装置は、表示光を出射する表示部と、前記表示部を制御する制御基板と、前記制御基板の周囲を囲む金属製のシールドカバーと、を備え、前記シールドカバーは、それぞれ別体で同一の開口した箱状をなす第１の部材及び第２の部材を備え、前記第１の部材及び前記第２の部材は、それぞれの開口縁部が相対する向きに組み合わされる。
【発明の効果】
【０００７】
本発明によれば、ヘッドアップディスプレイ装置において、共通の部品を増やすことができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の概略図である。
【図３】本発明の一実施形態に係るヘッドアップディスプレイ装置の斜視図である。
【図４】本発明の一実施形態に係るヘッドアップディスプレイ装置の一部の構成の斜視図である。
【図５】本発明の一実施形態に係るヘッドアップディスプレイ装置の一部の構成の斜視図である。
【図６】本発明の一実施形態に係るヘッドアップディスプレイ装置の一部の構成の斜視図である。
【図７】本発明の一実施形態に係るシールドカバー及び制御基板の断面図である。
【図８】本発明の一実施形態に係るシールドカバーの斜視図である。
【図９】本発明の一実施形態に係るシールドカバーの斜視図である。
【図１０】本発明の一実施形態に係るシールドカバーの平面図である。
【図１１】本発明の一実施形態に係るシールドカバーの底面図である。
【図１２】本発明の一実施形態に係る左ハンドルの車両に搭載されたヘッドアップディスプレイ装置におけるシールドカバー等の底面図である。
【図１３】本発明の一実施形態に係る左ハンドルの車両に搭載されたヘッドアップディスプレイ装置におけるシールドカバー等の平面図である。
【図１４】本発明の一実施形態に係る右ハンドルの車両に搭載されたヘッドアップディスプレイ装置におけるシールドカバー等の底面図である。
【図１５】本発明の一実施形態に係る右ハンドルの車両に搭載されたヘッドアップディスプレイ装置におけるシールドカバー等の平面図である。
【発明を実施するための形態】
【０００９】
本発明に係るヘッドアップディスプレイ装置の一実施形態について、図面を参照して説明する。本実施形態におけるヘッドアップディスプレイ装置は左ハンドルの車両に搭載される。
【００１０】
図１に示すように、ヘッドアップディスプレイ装置１００は、車両２００のダッシュボード内に設置される。ヘッドアップディスプレイ装置１００は、車両２００の被投射部材の一例であるフロントガラス２０１に向けて像を表す表示光Ｌを出射する。表示光Ｌはフロントガラス２０１で反射して視認者１（主に車両２００の運転者）に到達する。これにより、虚像Ｖが視認者１により視認可能に表示される。
【００１１】
図２に示すように、ヘッドアップディスプレイ装置１００は、表示部１０と、折り返しミラー部材２０と、ミラーユニット３０と、ミラー駆動ユニット４０と、筐体６０と、制御基板７０と、シールドカバー８０と、を備える。
【００１２】
表示部１０は、制御基板７０による制御のもと、像を表す表示光Ｌを出射する。表示部１０は、液晶表示パネル１１と、ベゼル体１４と、液晶表示パネル１１を照明するバックライトユニット１２と、バックライトユニット１２からの光を液晶表示パネル１１に合わせて調整する光学素子１３と、を備える。
【００１３】
液晶表示パネル１１は、例えば、ＴＦＴ（Thin Film Transistor）型であり、フレキシブルフラットケーブル１８を介して制御基板７０に電気的に接続されている。液晶表示パネル１１は、制御基板７０による制御のもと、画素毎にバックライトユニット１２からの光を透過する透過状態と光を透過させない不透過状態の何れかに設定する。
【００１４】
図４に示すように、ベゼル体１４は、金属により形成される。ベゼル体１４は、液晶表示パネル１１の外周を囲む枠部１４ａと、シールドカバー８０の一部である後述する鍔部８１ｂに接触するように枠部１４ａから延びる一対の接触部１４ｂと、を備える。一対の接触部１４ｂは、枠部１４ａにおけるシールドカバー８０に近い辺部１４ａ１に並べられる。接触部１４ｂは折り曲げられた長方形板状に形成される。接触部１４ｂの先端部はシールドカバー８０の鍔部８１ｂに接触する。接触部１４ｂにより液晶表示パネル１１に帯電した正電荷を除去することができ、液晶表示パネル１１の動作信頼性を高めることができる。
【００１５】
図６に示すように、バックライトユニット１２は、光源基板１２ａと、複数のＬＥＤ（Light Emitting Diode）１２ｂと、コネクタ１２ｃと、を備える。
複数のＬＥＤ１２ｂ及びコネクタ１２ｃは、光源基板１２ａにおける液晶表示パネル１１に対向する面に実装される。コネクタ１２ｃは、ワイヤーハーネス１９ａを介して制御基板７０に接続されている。複数のＬＥＤ１２ｂは、制御基板７０の制御のもと、光を放射する。
【００１６】
図２に示すように、光学素子１３は、バックライトユニット１２と液晶表示パネル１１の間に位置し、バックライトユニット１２からの光を平行化したり拡散したりするコンデンサレンズ及びフィールドレンズ等からなる。
【００１７】
図２に示すように、折り返しミラー部材２０は、例えば平面鏡からなり、表示部１０が出射した表示光Ｌをミラーユニット３０に向けて反射させる。折り返しミラー部材２０は、例えば、ポリカーボネート等の樹脂からなる基材にアルミニウムが積層されてなる。
【００１８】
図４に示すように、ミラーユニット３０は、表示光Ｌを反射させる反射鏡の一例である凹面鏡３１と、凹面鏡３１を保持する凹面鏡ホルダ３５と、を備える。
【００１９】
凹面鏡３１は、Ｘ方向に長い略長方形の板状に形成され、Ｘ方向に沿って湾曲している。凹面鏡３１は、凹状の曲面を有する合成樹脂製の基材にアルミニウム等の金属製の反射材が蒸着されることにより形成される。凹面鏡３１は、折り返しミラー部材２０で反射した表示光Ｌをフロントガラス２０１に向けて拡大させつつ反射させる。
【００２０】
凹面鏡ホルダ３５は、樹脂により形成され、凹面鏡３１をその裏面から保持する。凹面鏡ホルダ３５は、ミラー駆動ユニット４０により押されるレバー部３８を備える。レバー部３８がミラー駆動ユニット４０により押されることにより、凹面鏡ホルダ３５は回転軸Ａｘを中心に回転する。
【００２１】
図４に示すように、ミラー駆動ユニット４０は、ミラーユニット３０を回転軸Ａｘを中心に回転させる。ミラー駆動ユニット４０は、モータ４２と、変換機構４１と、を備える。
モータ４２は、ワイヤーハーネス１９ｂを介して制御基板７０に接続され、制御基板７０の制御のもと駆動する。変換機構４１は、モータ４２の回転運動を直線運動に変換したうえでレバー部３８に伝達する。これにより、ミラーユニット３０は回転軸Ａｘを中心に回転する。
【００２２】
図２に示すように、筐体６０は、非透光性の樹脂又は金属で形成されるとともに、中空の略直方体をなす。筐体６０は、上方向に向けて開口する箱状をなす下ケース６０ｂと、下ケース６０ｂの開口部を塞ぐ上ケース６０ａと、下ケース６０ｂに装着されるカバー６０ｃと、を備える。上ケース６０ａには、フロントガラス２０１に対向する位置に開口部６１が形成されている。上ケース６０ａは、開口部６１を塞ぐ湾曲板状の窓部５０を備える。窓部５０は、表示光Ｌが透過するアクリル等の透光性の樹脂からなる。
【００２３】
図３に示すように、下ケース６０ｂは、上方向に向けて開口した箱状をなす。下ケース６０ｂ内には、折り返しミラー部材２０、ミラーユニット３０及びミラー駆動ユニット４０が収容される。
図２に示すように、下ケース６０ｂの下面には、下ケース６０ｂ内に表示光Ｌを照射するように表示部１０が装着される。また、下ケース６０ｂの下面にはシールドカバー８０が収容される収容部６０ｄが形成される。収容部６０ｄには、図３に示すように、制御基板７０の後述するコネクタ７１ａ，７１ｂを筐体６０の外部に露出させるための孔６０ｅが形成されている。
カバー６０ｃは、収容部６０ｄを塞ぐように下ケース６０ｂの下面に装着される。
【００２４】
図２に示すように、制御基板７０は、表示部１０及びミラー駆動ユニット４０を制御する電子部品が実装されるプリント回路基板である。制御基板７０は長方形板状をなす。制御基板７０の各角部は、後述する凹部８１ｉ，８２ｉ（図９参照）にＺ方向に挟み込まれる。制御基板７０の各角部には、後述するねじ通過孔部８１ｊ，８２ｊとＺ方向に並び、図示しないねじが通過可能な円形の図示しないねじ孔が形成される。また、制御基板７０の図示しないグランドパターンはシールドカバー８０に接触している。
図７に示すように、制御基板７０はコネクタ７１ａ，７１ｂ，７２ａ，７２ｂ，７３を備える。
コネクタ７２ａは、ワイヤーハーネス１９ａを介して光源基板１２ａに接続される。制御基板７０は、ワイヤーハーネス１９ａを介してＬＥＤ１２ｂに制御信号を出力する。
コネクタ７２ｂは、ワイヤーハーネス１９ｂを介してミラー駆動ユニット４０のモータ４２に接続される。制御基板７０は、ワイヤーハーネス１９ｂを介してモータ４２に制御信号を出力する。
図５に示すように、コネクタ７１ａは、電源入力用の端子であり、図示しない電源ケーブルが接続される。制御基板７０は、コネクタ７１ａを介して動作電源を受けて動作する。
コネクタ７１ｂは、映像入力用の端子であり、図示しない映像信号送信用のケーブルが接続される。制御基板７０は、コネクタ７１ｂを介して映像信号を受ける。
【００２５】
次に、シールドカバー８０について説明する。
以下の説明では、図５等に示すように、制御基板７０の面方向に沿って互いに直交するようにＸ方向及びＹ方向が規定され、制御基板７０の面に垂直な方向にＺ方向が規定される。Ｘ方向は制御基板７０の長手方向に沿って延び、Ｙ方向は制御基板７０の短手方向に沿って延びる。
【００２６】
図７、図８、図９及び図１０に示すように、シールドカバー８０は、制御基板７０の全周囲を覆うように形成される。詳しくは、シールドカバー８０は、第１の部材８１と、第１の部材８１とは別体の第２の部材８２と、を備える。第１の部材８１及び第２の部材８２は、それぞれ同一の形状からなり、同一の図示しない金型により成形可能である。
【００２７】
第１の部材８１は、開口した箱状をなす容器部８１ａと、容器部８１ａの開口縁部に設けられる鍔部８１ｂと、を備える。鍔部８１ｂは、容器部８１ａの開口縁部から外側に延びる枠状に形成される。容器部８１ａは、長方形板状の底板部８１ａ１と、底板部８１ａ１の縁部に位置する側壁８１ａ２と、を備える。
また、第１の部材８１は、案内溝部８１ｃ，８１ｄ，８１ｅと、コネクタ通過孔部８１ｆと、接続線通過孔部８１ｇと、ねじ通過孔部８１ｊと、凹部８１ｈ，８１ｉと、を備える。
【００２８】
図８及び図９に示すように、案内溝部８１ｃ，８１ｄ，８１ｅは、ワイヤーハーネス１９ａ，１９ｂを接続線通過孔部８１ｇに案内可能に形成されている。３つの案内溝部８１ｃ，８１ｄ，８１ｅは、底板部８１ａ１の外面に形成されている。案内溝部８１ｃ，８１ｄ，８１ｅは、ワイヤーハーネス１９ａ，１９ｂを収容可能に形成され、接続線通過孔部８１ｇを起点として放射線状に延びている。
詳しくは、案内溝部８１ｃはＹ方向に沿って延びる。案内溝部８１ｄは、Ｙ方向において接続線通過孔部８１ｇから離れるにつれてＸ方向の一方側（図８の左側）に向かうように傾斜している。案内溝部８１ｅは、Ｙ方向において接続線通過孔部８１ｇから離れるにつれてＸ方向の他方側（図８の右側）に向かうように傾斜している。
【００２９】
図８に示すように、凹部８１ｈは、Ｘ方向の中央であって、Ｙ方向の一端側に位置し、側壁８１ａ２が凹むように形成されている。凹部８１ｈ内には接続線通過孔部８１ｇが位置している。接続線通過孔部８１ｇは、Ｘ方向の中央に位置し、フレキシブルフラットケーブル１８又はワイヤーハーネス１９ａ，１９ｂが通過可能なＸ方向に長い長方形の貫通孔を有する。接続線通過孔部８１ｇは、Ｚ方向において鍔部８１ｂと同一の高さに位置する。
【００３０】
図９に示すように、コネクタ通過孔部８１ｆは、側壁８１ａ２におけるＸ方向の中央であって、Ｙ方向の他端側に位置する。コネクタ通過孔部８１ｆは、コネクタ７１ａ，７１ｂが通過可能なＸ方向に長い長方形の貫通孔を有する。
【００３１】
凹部８１ｉは、容器部８１ａの４つの角部それぞれに設けられる。凹部８１ｉは、制御基板７０の４つの角部に対応するように形成される。凹部８１ｉ内には、ねじ通過孔部８１ｊが位置する。４つのねじ通過孔部８１ｊは、図示しないねじが通過可能な円形の貫通孔を有する。各ねじ通過孔部８１ｊは、Ｚ方向において鍔部８１ｂと同一の高さに位置する。
【００３２】
図１１に示すように、第２の部材８２は、第１の部材８１と同様に、容器部８２ａと、鍔部８２ｂと、案内溝部８２ｃ，８２ｄ，８２ｅと、コネクタ通過孔部８２ｆと、接続線通過孔部８２ｇと、ねじ通過孔部８２ｊと、凹部８２ｈ，８１ｉと、を備える。第２の部材８２は第１の部材８１と同一の形状であるため、その詳細な説明を割愛する。
【００３３】
図７及び図８に示すように、第１の部材８１の開口縁部と第２の部材８２の開口縁部が相対するように、第１の部材８１の鍔部８１ｂは第２の部材８２の鍔部８２ｂに重ねられる。第２の部材８２は、第１の部材８１に対して、Ｚ方向に沿う回転軸Ｇを中心に１８０°回転させた向きをなす。第１の部材８１と第２の部材８２の間には、制御基板７０が収容される閉じられた空間が形成される。
第１の部材８１の各ねじ通過孔部８１ｊと第２の部材８２の各ねじ通過孔部８２ｊが制御基板７０の各角部を挟み込みつつＺ方向に対向した状態で、ねじ通過孔部８１ｊ，８２ｊ、制御基板７０の角部及びカバー６０ｃに図示しないねじが螺合される。これにより、シールドカバー８０内に制御基板７０が固定されるとともに、シールドカバー８０がカバー６０ｃに固定される。
【００３４】
ヘッドアップディスプレイ装置１００は左ハンドルの車両に搭載される。この場合のシールドカバー８０に対するワイヤーハーネス１９ａ，１９ｂ等の配置態様について説明する。
図５及び図１２に示すように、第２の部材８２の案内溝部８２ｃにはワイヤーハーネス１９ａが配置される。案内溝部８２ｃは、ワイヤーハーネス１９ａを接続線通過孔部８２ｇからバックライトユニット１２までＺ方向から見て直線的に導く。第２の部材８２の案内溝部８２ｄにはワイヤーハーネス１９ｂが配置される。案内溝部８２ｄは、ワイヤーハーネス１９ｂを接続線通過孔部８２ｇからモータ４２までＺ方向から見て直線的に導く。
また、図１３に示すように、第１の部材８１の接続線通過孔部８１ｇにはフレキシブルフラットケーブル１８が通過する。また、図５に示すように、第１の部材８１のコネクタ通過孔部８１ｆにはコネクタ７１ａ，７１ｂが通過する。
なお、左ハンドルの車両に搭載されるヘッドアップディスプレイ装置１００においては、第２の部材８２の案内溝部８２ｅ、コネクタ通過孔部８２ｆ、第１の部材８１の案内溝部８１ｃ，８１ｄ，８１ｅは利用されていない。
【００３５】
右ハンドルの車両に搭載されるヘッドアップディスプレイ装置は、上述した左ハンドルの車両に搭載されるヘッドアップディスプレイ装置１００に対してＸ方向に対称な構成を有する。図１４及び図１５に示す右ハンドルの車両に搭載される場合と図１２及び図１３に示す左ハンドルの車両に搭載される場合で、Ｘ方向におけるシールドカバー８０に対するモータ４２の位置が異なる。右ハンドルの車両に搭載されるヘッドアップディスプレイ装置においては、図１４及び図１５に示すように、モータ４２は案内溝部８２ｅの延長線上に位置する。よって、第２の部材８２の案内溝部８２ｅにはワイヤーハーネス１９ｂが配置される。案内溝部８２ｅは、ワイヤーハーネス１９ｂを接続線通過孔部８２ｇからモータ４２までＺ方向から見て直線的に導く。案内溝部８２ｄは利用されない。この点を除き、シールドカバー８０におけるワイヤーハーネス１９ａ、フレキシブルフラットケーブル１８及びコネクタ７１ａ，７１ｂの配置態様は、上述した左ハンドルの車両に搭載されるヘッドアップディスプレイ装置１００と同様である。よって、右ハンドルの車両に搭載されるヘッドアップディスプレイ装置であっても、左ハンドルの車両に搭載されるヘッドアップディスプレイ装置１００のシールドカバー８０を利用することができる。
【００３６】
（効果）
以上、説明した一実施形態によれば、以下の効果を奏する。
【００３７】
（１）ヘッドアップディスプレイ装置１００は、表示光Ｌを出射する表示部１０と、表示部１０を制御する制御基板７０と、制御基板７０の周囲を囲む金属製のシールドカバー８０と、を備える。シールドカバー８０は、それぞれ別体で同一の開口した箱状をなす第１の部材８１及び第２の部材８２を備える。第１の部材８１及び第２の部材８２は、それぞれの開口縁部が相対する向きに組み合わされる。
この構成によれば、第１の部材８１及び第２の部材８２は同一の形状であるため、共通の部品を増やすことができる。また、第１の部材８１と第２の部材８２を成形するために共通の金型を使用することができる。
さらに、シールドカバー８０は制御基板７０の周囲を囲むため、制御基板７０からの電磁ノイズが外部に放出することを抑制することができる。また、シールドカバー８０は、制御基板７０が外部から受ける電磁ノイズの影響を抑制することができる。
【００３８】
（２）ヘッドアップディスプレイ装置１００は、制御基板７０と表示部１０の間を電気的に接続する第１接続線の一例であるワイヤーハーネス１９ａを備える。第１の部材８１及び第２の部材８２は、表示光Ｌの進行方向に対して垂直をなす第１方向であるＸ方向の中央に位置し、ワイヤーハーネス１９ａが通過可能な接続線通過孔部８１ｇを備える。
右ハンドルの車両に搭載されるヘッドアップディスプレイ装置と左ハンドルの車両に搭載されるヘッドアップディスプレイ装置１００は互いにＸ方向に対称な構成を有する。上記構成によれば、接続線通過孔部８１ｇはＸ方向の中央に位置する。このため、ヘッドアップディスプレイ装置が搭載される車両が左ハンドルの車両であるか右ハンドルの車両であるかに関わらず、接続線通過孔部８１ｇの位置を変更する必要がなくなる。よって、シールドカバー８０の汎用性を高めることができる。
【００３９】
（３）第１の部材８１及び第２の部材８２は、底板部８１ａ１と、底板部８１ａ１の縁部に位置する側壁８１ａ２と、底板部８１ａ１の外面にワイヤーハーネス１９ａを収容可能に形成され、接続線通過孔部８１ｇから表示部１０に向けて延びる第１案内溝部の一例である案内溝部８１ｃ，８２ｃと、を備える。
この構成によれば、案内溝部８２ｃによりワイヤーハーネス１９ａが案内される。このため、ワイヤーハーネス１９ａは円滑に制御基板７０と表示部１０の間に接続される。
【００４０】
（４）ヘッドアップディスプレイ装置１００は、表示部１０からの表示光Ｌを被投射部材の一例であるフロントガラス２０１に向けて反射させるミラーユニット３０と、制御基板７０による制御のもと、ミラーユニット３０を回転軸Ａｘを中心に回転させる反射鏡駆動源の一例であるモータ４２と、制御基板７０とモータ４２の間を電気的に接続し、接続線通過孔部８１ｇを通過する第２接続線の一例であるワイヤーハーネス１９ｂと、を備える。第１の部材８１及び第２の部材８２は、底板部８１ａ１の外面にワイヤーハーネス１９ｂを収容可能に形成され、接続線通過孔部８１ｇからモータ４２に向けて延びる第２案内溝部の一例である案内溝部８１ｄ，８２ｄを備える。
この構成によれば、案内溝部８２ｄによりワイヤーハーネス１９ｂが案内される。このため、ワイヤーハーネス１９ｂは円滑に制御基板７０とモータ４２の間に接続される。
【００４１】
（５）案内溝部８２ｃは、表示光Ｌの進行方向に沿う第２方向の一例であるＹ方向に延びる。案内溝部８２ｄ，８２ｅは、Ｙ方向において接続線通過孔部８１ｇから離れるにつれてＸ方向において接続線通過孔部８１ｇから離れるように案内溝部８２ｃに対して傾斜し、案内溝部８２ｃのＸ方向の両側それぞれに形成される。
この構成によれば、左ハンドルの車両に搭載されるヘッドアップディスプレイ装置１００においては、図１２に示すように、案内溝部８２ｄにワイヤーハーネス１９ｂが収容され、案内溝部８２ｅは利用されない。右ハンドルの車両に搭載されるヘッドアップディスプレイ装置においては、図１４に示すように、案内溝部８２ｅにワイヤーハーネス１９ｂが収容され、案内溝部８２ｄは利用されない。このため、ヘッドアップディスプレイ装置が搭載される車両が左ハンドルの車両であるか右ハンドルの車両であるかに関わらず、ワイヤーハーネス１９ｂを収容する案内溝部の位置を変更する必要がなくなる。よって、シールドカバー８０の汎用性を高めることができる。
【００４２】
（６）制御基板７０は、外部から電力又は信号を入力するコネクタ７１ａ，７１ｂを備える。第１の部材８１及び第２の部材８２は、Ｘ方向の中央に位置し、コネクタ７１ａ，７１ｂが通過可能に形成されるコネクタ通過孔部８１ｆ，８２ｆを備える。
この構成によれば、ヘッドアップディスプレイ装置が搭載される車両が左ハンドルの車両であるか右ハンドルの車両であるかに関わらず、コネクタ通過孔部８１ｆ，８２ｆの位置を変更する必要がなくなる。よって、シールドカバー８０の汎用性を高めることができる。
【００４３】
（７）表示部１０は、表示パネルの一例である液晶表示パネル１１と、液晶表示パネル１１の外周を囲む金属製のベゼル体１４と、を備える。ベゼル体１４は、シールドカバー８０に接触する接触部１４ｂを備える。
この構成によれば、接触部１４ｂがシールドカバー８０に接触することにより、液晶表示パネル１１に帯電した正電荷を除去することができる。よって、液晶表示パネル１１の動作信頼性を高めることができる。
【００４４】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００４５】
（変形例）
上記実施形態におけるシールドカバー８０は鍔部８１ｂ，８２ｂを備えていたが、鍔部８１ｂ，８２ｂは省略されてもよい。
【００４６】
上記実施形態においては、第１の部材８１と第２の部材８２は図示しないねじにより固定されていたが、接着剤により固定されてもよい。
【００４７】
上記実施形態において、案内溝部８１ｃ，８１ｄ，８１ｅ，８２ｃ，８２ｄ，８２ｅは、内部に位置するワイヤーハーネス１９ａ，１９ｂを保持するフックを備えていてもよい。
【００４８】
上記実施形態において、図５に示すように、利用されない案内溝部８２ｅは省略されてもよい。
上記実施形態におけるモータ４２を含むミラー駆動ユニット４０は省略されてもよい。この場合、ワイヤーハーネス１９ｂ及び案内溝部８１ｄ，８１ｅ，８２ｄ，８２ｅは省略されてもよい。
また、全ての案内溝部８１ｃ，８１ｄ，８１ｅ，８２ｃ，８２ｄ，８２ｅは省略されてもよい。
【００４９】
上記実施形態においては、ベゼル体１４は一対の接触部１４ｂを備えていたが、接触部１４ｂの数は単数又は３つ以上であってもよい。接触部１４ｂは鍔部８１ｂに接触していたが、容器部８１ａに接触してもよい。また、接触部１４ｂは省略されてもよい。
【００５０】
上記実施形態におけるヘッドアップディスプレイ装置１００の構成は適宜変更可能である。例えば、折り返しミラー部材２０を省略して、表示部１０からの表示光Ｌを直接にミラーユニット３０に照射してもよい。また、ヘッドアップディスプレイ装置１００は、凹面鏡３１に代えて平面鏡を備えていてもよい。
【００５１】
上記実施形態においては、第２の部材８２は、第１の部材８１に対して、Ｚ方向に沿う回転軸Ｇを中心に１８０°回転させた向きをなしていたが、この回転角度は、１８０°に限らず、例えば、０°、９０°、２７０°であってもよい。
【００５２】
上記実施形態では、ヘッドアップディスプレイ装置１００は車両２００に搭載されていたが、車両２００以外の飛行機、船等の乗り物に搭載されていてもよい。また、投射部材はフロントガラスに限らず、専用のコンバイナであってもよい。
【符号の説明】
【００５３】
１０  表示部
１１  液晶表示パネル
１２  バックライトユニット
１４  ベゼル体
１４ａ  枠部
１４ｂ  接触部
１８  フレキシブルフラットケーブル
１９ａ，１９ｂ  ワイヤーハーネス
２０  折り返しミラー部材
３０  ミラーユニット
３１  凹面鏡
３５  凹面鏡ホルダ
３８  レバー部
４０  ミラー駆動ユニット
４２  モータ
６０  筐体
６０ａ  上ケース
６０ｂ  下ケース
６０ｃ  カバー
７０  制御基板
７１ａ，７１ｂ，７２ａ，７２ｂ，７３  コネクタ
８０  シールドカバー
８１  第１の部材
８１ａ，８２ａ  容器部
８１ｂ，８２ｂ  鍔部
８１ａ１  底板部
８１ａ２  側壁
８１ｃ，８１ｄ，８１ｅ，８２ｃ，８２ｄ，８２ｅ  案内溝部
８１ｆ，８２ｆ  コネクタ通過孔部
８１ｇ，８２ｇ  接続線通過孔部
８１ｈ，８１ｉ，８２ｈ，８２ｉ  凹部
８１ｊ，８２ｊ  ねじ通過孔部
８２  第２の部材
１００  ヘッドアップディスプレイ装置
２００  車両
２０１  フロントガラス
Ｇ，Ａｘ  回転軸
Ｌ  表示光
【図１】
2020046570.tif 000003
【図２】
2020046570.tif 000004
【図３】
2020046570.tif 000005
【図４】
2020046570.tif 000006
【図５】
2020046570.tif 000007
【図６】
2020046570.tif 000008
【図７】
2020046570.tif 000009
【図８】
2020046570.tif 000010
【図９】
2020046570.tif 000011
【図１０】
2020046570.tif 000012
【図１１】
2020046570.tif 000013
【図１２】
2020046570.tif 000014
【図１３】
2020046570.tif 000015
【図１４】
2020046570.tif 000016
【図１５】
2020046570.tif 000017